(57)【要約】【課題】光ピックアップの出力信号の振幅のバラツキや光ディスクの反射率のバラツキあるいはＲＦアンプのゲインのバラツキなどがあった場合でも、ＤＶＤ−ＲＡＭを正確に判別することができる光ディスク再生装置を提供する。【解決手段】光ディスクに対する立ち上げ動作が開始すると、ＲＦアンプのゲインを最大レンジに設定する。最大レンジの上下８０％のレベルに相当する上側閾値と下側閾値とを２値化手段への２値化条件として設定する。上側閾値と下側閾値との間に信号の無い空洞部分がＣＡＰＡ信号の部分に相当し、この空洞部分を２値化した２値化手段からの２値化信号の時間を測定し、光ディスクの１回転の時間に対する２値化信号の時間の割合を示す２値化信号割合を算出する。２値化信号割合が４[％]±１[％]以内であれば、装填された光ディスクはＤＶＤ−ＲＡＭであると判別される。【選択図】図４
2007149159.tif 000002
【特許請求の範囲】
【請求項１】
光ディスクに記録された情報を再生する光ディスク再生装置において、
光ディスクにレーザ光を照射させ反射光を受光して読み取り信号としてのＲＦ信号を出力する光ピックアップからのＲＦ信号を増幅するＲＦアンプのゲインを、光ディスクの立ち上げのディスク判別時に最大レンジに設定するゲイン制御手段と、
前記ＲＦアンプからのＲＦ信号を予め設定された２値化条件に従って２値化し前記ＲＦ信号にＣＡＰＡ（Complimentary  Allocated  Pit  Address）信号が含まれていればＣＡＰＡ信号の検出を示す２値化信号を出力する２値化手段と、
前記ＲＦ信号が前記最大レンジの上下所定％を占めているかにより前記ＲＦ信号に含まれるＣＡＰＡ信号を２値化するために前記最大レンジの上下所定％のレベルに相当する上側閾値と下側閾値とを前記２値化手段への２値化条件として設定する２値化条件設定手段と、
前記上側閾値と下側閾値との間に信号が無い空洞部分を２値化した前記２値化手段からの２値化信号の時間を測定し、ディスク１回転の時間に対する前記２値化信号の時間の割合を示す２値化信号割合を算出する２値化信号割合算出手段と、
前記算出された２値化信号割合がＣＡＰＡ信号を示す所定の割合であるか否かを判定し、前記２値化信号割合がＣＡＰＡ信号を示す所定の割合であれば、光ディスクがＤＶＤ−ＲＡＭであると判別し、前記２値化信号割合がＣＡＰＡ信号を示す所定の割合でなければ、光ディスクがＤＶＤ−ＲＡＭ以外の光ディスクであると判別するディスク判別手段と、を備えたことを特徴とする光ディスク再生装置。
【請求項２】
光ディスクに記録された情報を再生する光ディスク再生装置において、
光ディスクにレーザ光を照射させ反射光を受光して読み取り信号としてのＲＦ信号を出力する光ピックアップからのＲＦ信号を増幅するＲＦアンプのゲインを、光ディスクの立ち上げのディスク判別時に最大レンジに設定するゲイン制御手段と、
前記ＲＦアンプからのＲＦ信号を予め設定された２値化条件に従って２値化し前記ＲＦ信号に含まれているディスク固有信号の検出を示す２値化信号を出力する２値化手段と、
前記ＲＦ信号が前記最大レンジの上下所定％を占めているかにより前記ＲＦ信号に含まれるディスク固有信号を２値化するために前記最大レンジの上下所定％のレベルに相当する上側閾値と下側閾値とを前記２値化手段への２値化条件として設定する２値化条件設定手段と、
前記上側閾値と下側閾値との間に信号が無い空洞部分を２値化した前記２値化手段からの２値化信号の時間を測定し、ディスク１回転の時間に対する前記２値化信号の時間の割合を示す２値化信号割合を算出する２値化信号割合算出手段と、
前記算出された２値化信号割合に応じて光ディスクを判別するディスク判別手段と、を備えたことを特徴とする光ディスク再生装置。
【請求項３】
前記ディスク固有信号とは、光ディスクがＤＶＤ−ＲＡＭである場合はＣＡＰＡ信号であることを特徴とする請求項２に記載の光ディスク再生装置。
【請求項４】
前記ディスク固有信号がＣＡＰＡ信号である場合、前記ディスク判別手段は、前記算出された２値化信号割合がＣＡＰＡ信号を示す所定の割合であるか否かを判定し、前記２値化信号割合がＣＡＰＡ信号を示す所定の割合であれば、光ディスクがＤＶＤ−ＲＡＭであると判別し、前記２値化信号割合がＣＡＰＡ信号を示す所定の割合でなければ、光ディスクがＤＶＤ−ＲＡＭ以外の光ディスクであると判別することを特徴とする請求項２に記載の光ディスク再生装置。
【発明の詳細な説明】
【技術分野】
【０００１】
本発明は、光ディスクに記録された情報を再生する光ディスク再生装置に関し、特に、装填された光ディスクの種類を判別する処理に関する。
【背景技術】
【０００２】
近年、ＣＤ（コンパクト・ディスク）に比べ、大量の映像音声情報を記録／再生できる光ディスクであるＤＶＤ（デジタル・バーサタイル・ディスク）が普及している。ＤＶＤは、再生される映像の画質も良好なので、次世代の記録媒体として脚光を浴びている。ＤＶＤの種類としては、メーカ側で情報が記録され、ユーザ側では書き換えができないＤＶＤ−ＲＯＭ、ユーザ側で情報を１回だけ記録できるＤＶＤ−ＲやＤＶＤ＋Ｒ、ユーザ側で情報を記録でき所定回数まで書き換え可能なＤＶＤ−ＲＷやＤＶＤ＋ＲＷやＤＶＤ−ＲＡＭなどが知られている。
【０００３】
このようなＤＶＤの中でも、光ディスク再生装置に装填された光ディスクがＤＶＤ−ＲＡＭであった場合、装填された光ディスクがＤＶＤ−ＲＡＭであることを判別する従来技術として、例えば、特許文献１に示される光ディスクの判別装置が知られている。この光ディスクの判別装置では、光ピックアップが受光した反射光から得られた全反射加算信号を２値化して得られたショートパルス信号の回数と間隔からアドレスピット（ＣＡＰＡ）の有無を検出することによって、光ディスクがＤＶＤ−ＲＡＭであるかを判別するようにしている。
【０００４】
また、特許文献２に示される光ディスクの判別装置では、光ピックアップが受光した反射光から得られた全反射加算信号のピーク値とボトム値を検出し、それらの差分量と基準レベルとの比較にて、アドレスピット（ＣＡＰＡ）の有無を検出することによって、光ディスクがＤＶＤ−ＲＡＭであるかを判別するようにしている。
【０００５】
また、特許文献３に示される光ディスク判別装置およびその方法では、トラッキング制御前の集束だけなされたオフトラック状態においてディスクから読み出したＲＦ信号を検出して発生したエンベロープ信号の振幅を検出し、更に、そのエンベロープ信号の振幅を基準レベルと比較し、この比較結果により光ディスクがＤＶＤ−ＲＡＭであるかを判別するようにしている。
【特許文献１】特開２００４−４６９７７号公報
【特許文献２】特開２００５−３８５１４号公報
【特許文献３】特開２０００−２８５５８２号公報
【発明の開示】
【発明が解決しようとする課題】
【０００６】
しかしながら、特許文献１の従来技術は、前述したように全反射加算信号を２値化して得られたショートパルス信号の回数と間隔からアドレスピット（ＣＡＰＡ）の有無を検出するようにしているが、光ピックアップの出力信号の振幅のバラツキや光ディスクの反射率のバラツキあるいは全反射加算信号発生手段のゲインのバラツキなどにより、全反射加算信号発生手段から出力される全反射加算信号の振幅がばらついて、正確に全反射加算信号の２値化を行うことができなくなる場合、アドレスピット（ＣＡＰＡ）の有無も正確に検出できなくなり、これにより、ＤＶＤ−ＲＡＭを正確に判別するこができなくなるようなことがある。
【０００７】
特許文献２の従来技術は、前述したように全反射加算信号のピーク値とボトム値を検出し、それらの差分量と基準レベルとの比較にて、アドレスピット（ＣＡＰＡ）の有無を検出するようにしているが、この場合も、光ピックアップの出力信号の振幅のバラツキや光ディスクの反射率のバラツキあるいは全反射加算信号発生手段のゲインのバラツキなどにより、全反射加算信号発生手段から出力される全反射加算信号の振幅がばらついて、全反射加算信号のピーク値とボトム値との差分量と基準レベルとの比較を正確に行うことができなくなる場合、アドレスピット（ＣＡＰＡ）の有無も正確に検出できなくなり、これにより、ＤＶＤ−ＲＡＭを正確に判別するこができなくなるようなことがある。
【０００８】
また、特許文献３の従来技術は、前述したようにＲＦ信号を検出して発生したエンベロープ信号の振幅を検出し、更に、そのエンベロープ信号の振幅を基準レベルと比較し、この比較結果により光ディスクがＤＶＤ−ＲＡＭであるかを判別するようにしているが、光ピックアップの出力信号の振幅のバラツキや光ディスクの反射率のバラツキあるいはＲＦアンプのゲインのバラツキなどがあった場合、エンベロープ信号の振幅がばらついて基準レベルとの比較結果の信頼性が低下し、これにより、光ディスクがＤＶＤ−ＲＡＭであるかを正確に判別することができなくなるようなことがある。
【０００９】
本発明は、上記のような課題を解決するためになされたもので、光ピックアップの出力信号の振幅のバラツキや光ディスクの反射率のバラツキあるいはＲＦアンプのゲインのバラツキなどがあった場合でも、ＤＶＤ−ＲＡＭを正確に判別することができる光ディスク再生装置を提供することを目的とする。
【課題を解決するための手段】
【００１０】
上記目的を達成するために、請求項１の発明は、光ディスクにレーザ光を照射させ反射光を受光して読み取り信号としてのＲＦ信号を出力する光ピックアップからのＲＦ信号を増幅するＲＦアンプのゲインを、光ディスクの立ち上げのディスク判別時に最大レンジに設定するゲイン制御手段と、前記ＲＦアンプからのＲＦ信号を予め設定された２値化条件に従って２値化し前記ＲＦ信号にＣＡＰＡ信号が含まれていればＣＡＰＡ信号の検出を示す２値化信号を出力する２値化手段と、前記ＲＦ信号が前記最大レンジの上下所定％を占めているかにより前記ＲＦ信号に含まれるＣＡＰＡ信号を２値化するために前記最大レンジの上下所定％のレベルに相当する上側閾値と下側閾値とを前記２値化手段への２値化条件として設定する２値化条件設定手段と、前記上側閾値と下側閾値との間に信号が無い空洞部分を２値化した前記２値化手段からの２値化信号の時間を測定し、ディスク１回転の時間に対する前記２値化信号の時間の割合を示す２値化信号割合を算出する２値化信号割合算出手段と、前記算出された２値化信号割合がＣＡＰＡ信号を示す所定の割合であるか否かを判定し、前記２値化信号割合がＣＡＰＡ信号を示す所定の割合であれば、光ディスクがＤＶＤ−ＲＡＭであると判別し、前記２値化信号割合がＣＡＰＡ信号を示す所定の割合でなければ、光ディスクがＤＶＤ−ＲＡＭ以外の光ディスクであると判別するディスク判別手段とを備えたことを特徴とする光ディスク再生装置を提供する。
【００１１】
この構成において、光ディスクが装填され、光ディスクに対する立ち上げ動作が開始すると、ゲイン制御手段はＲＦアンプのゲインを最大レンジに設定する。また、２値化条件設定手段は、ＲＦアンプからのＲＦ信号が前記最大レンジの上下所定％を占めているかによりＲＦ信号に含まれるＣＡＰＡ信号を２値化するために前記最大レンジの上下所定％のレベルに相当する上側閾値と下側閾値とを２値化手段への２値化条件として設定する。２値化手段は、ＲＦアンプからのＲＦ信号を前記設定された２値化条件に従って２値化する。２値化信号割合算出手段は、上側閾値と下側閾値との間に信号が無い空洞部分を２値化した２値化手段からの２値化信号の時間を測定し、光ディスクの１回転の時間に対する２値化信号の時間の割合を示す２値化信号割合を算出する。この後、ディスク判別手段は、２値化信号割合算出手段により算出された２値化信号割合がＣＡＰＡ信号の検出を示す所定割合であるか否かを判定し、２値化信号割合が所定割合であれば、装填されている光ディスクはＤＶＤ−ＲＡＭであると判別し、２値化信号割合が所定割合でなければ、装填されている光ディスクはＤＶＤ−ＲＡＭ以外の光ディスクであると判別する。
【００１２】
この構成によれば、ＲＦアンプのゲインを最大レンジに設定して、ＣＡＰＡ信号を含むＲＦ信号をＲＦアンプに入力すれば、ＲＦアンプの出力信号であるＲＦ信号に含まれるＣＡＰＡ信号の部分は空洞になるので、この空洞部分は正確に２値化でき、この２値化の信号の時間を測定することにより、光ディスクの１回転の時間に対する２値化信号の時間の割合を算出し、この割合でＤＶＤ−ＲＡＭであるか否かの判別を行うので、光ピックアップの出力信号の振幅のバラツキや光ディスクの反射率のバラツキあるいはＲＦアンプのゲインのバラツキなどがあった場合でも、ＤＶＤ−ＲＡＭの判別を正確に行うことができる。
【００１３】
請求項２の発明は、光ディスクにレーザ光を照射させ反射光を受光して読み取り信号としてのＲＦ信号を出力する光ピックアップからのＲＦ信号を増幅するＲＦアンプのゲインを、光ディスクの立ち上げのディスク判別時に最大レンジに設定するゲイン制御手段と、前記ＲＦアンプからのＲＦ信号を予め設定された２値化条件に従って２値化し前記ＲＦ信号に含まれているディスク固有信号の検出を示す２値化信号を出力する２値化手段と、前記ＲＦ信号が前記最大レンジの上下所定％を占めているかにより前記ＲＦ信号に含まれるディスク固有信号を２値化するために前記最大レンジの上下所定％のレベルに相当する上側閾値と下側閾値とを前記２値化手段への２値化条件として設定する２値化条件設定手段と、前記上側閾値と下側閾値との間に信号が無い空洞部分を２値化した前記２値化手段からの２値化信号の時間を測定し、ディスク１回転の時間に対する前記２値化信号の時間の割合を示す２値化信号割合を算出する２値化信号割合算出手段と、前記算出された２値化信号割合に応じて光ディスクを判別するディスク判別手段とを備えたことを特徴とする光ディスク再生装置を提供する。
【００１４】
この構成において、光ディスクが装填され、光ディスクに対する立ち上げ動作が開始すると、ゲイン制御手段はＲＦアンプのゲインを最大レンジに設定する。また、２値化条件設定手段は、ＲＦアンプからのＲＦ信号が前記最大レンジの上下所定％を占めているかによりＲＦ信号に含まれるディスク固有信号を２値化するために前記最大レンジの上下所定％のレベルに相当する上側閾値と下側閾値とを２値化手段への２値化条件として設定する。２値化手段は、ＲＦアンプからのＲＦ信号を前記設定された２値化条件に従って２値化する。２値化信号割合算出手段は、上側閾値と下側閾値との間に信号が無い空洞部分を２値化した２値化手段からの２値化信号の時間を測定し、光ディスクの１回転の時間に対する２値化信号の時間の割合を示す２値化信号割合を算出する。この後、ディスク判別手段は、２値化信号割合算出手段により算出された２値化信号割合に応じて光ディスクを判別する。光ディスクによりディスク固有信号が異なるので、２値化信号の割合も異なり、これにより、光ディスクを判別することができる。
【００１５】
この構成によれば、ＲＦアンプのゲインを最大レンジに設定して、ディスク固有信号を含むＲＦ信号をＲＦアンプに入力すれば、ＲＦアンプの出力信号であるＲＦ信号に含まれるディスク固有信号の部分は空洞になるので、この空洞部分は正確に２値化でき、この２値化の信号の時間を測定することにより、光ディスクの１回転の時間に対する２値化信号の時間の割合を示す２値化信号割合を算出し、この２値化割合で光ディスクの判別を行うので、光ピックアップの出力信号の振幅のバラツキや光ディスクの反射率のバラツキあるいはＲＦアンプのゲインのバラツキなどがあった場合でも、光ディスクの判別を正確に行うことができる。
【００１６】
請求項３の発明では、請求項２の発明において、前記ディスク固有信号とは、光ディスクがＤＶＤ−ＲＡＭである場合はＣＡＰＡ信号であるので、ＣＡＰＡ信号を検出できれば、この光ディスクはＤＶＤ−ＲＡＭであることが判別できる。
【００１７】
請求項４の発明では、請求項２の発明において、前記ディスク固有信号がＣＡＰＡ信号である場合、前記ディスク判別手段は、前記算出された２値化信号割合がＣＡＰＡ信号を示す所定の割合であるか否かを判定し、前記２値化信号割合がＣＡＰＡ信号を示す所定の割合であれば、光ディスクがＤＶＤ−ＲＡＭであると判別し、前記２値化信号割合がＣＡＰＡ信号を示す所定の割合でなければ、光ディスクがＤＶＤ−ＲＡＭ以外の光ディスクであると判別するので、光ディスクがＤＶＤ−ＲＡＭであるか、それ以外の光ディスクであるかの判別が可能になる。
【発明の効果】
【００１８】
以上のように本発明によれば、光ディスクにレーザ光を照射させ反射光を受光して読み取り信号としてのＲＦ信号を出力する光ピックアップからのＲＦ信号を増幅するＲＦアンプのゲインを、光ディスクの立ち上げのディスク判別時に最大レンジに設定するゲイン制御手段と、前記ＲＦアンプからのＲＦ信号を予め設定された２値化条件に従って２値化し前記ＲＦ信号にＣＡＰＡ信号が含まれていればＣＡＰＡ信号の検出を示す２値化信号を出力する２値化手段と、前記ＲＦ信号が前記最大レンジの上下所定％を占めているかにより前記ＲＦ信号に含まれるＣＡＰＡ信号を２値化するために前記最大レンジの上下所定％のレベルに相当する上側閾値と下側閾値とを前記２値化手段への２値化条件として設定する２値化条件設定手段と、前記上側閾値と下側閾値との間に信号が無い空洞部分を２値化した前記２値化手段からの２値化信号の時間を測定し、ディスク１回転の時間に対する前記２値化信号の時間の割合を示す２値化信号割合を算出する２値化信号割合算出手段と、前記算出された２値化信号割合がＣＡＰＡ信号を示す所定の割合であるか否かを判定し、前記２値化信号割合がＣＡＰＡ信号を示す所定の割合であれば、光ディスクがＤＶＤ−ＲＡＭであると判別し、前記２値化信号割合がＣＡＰＡ信号を示す所定の割合でなければ、光ディスクがＤＶＤ−ＲＡＭ以外の光ディスクであると判別するディスク判別手段とを備えたので、ＲＦアンプのゲインを最大レンジに設定して、ＣＡＰＡ信号を含むＲＦ信号をＲＦアンプに入力すれば、ＲＦアンプの出力信号であるＲＦ信号に含まれるＣＡＰＡ信号の部分は空洞になり、この空洞部分は正確に２値化でき、この２値化の信号の時間を測定することにより、光ディスクの１回転の時間に対する２値化信号の時間の割合を算出し、この割合でＤＶＤ−ＲＡＭであるか否かの判別を行うことができ、これにより、光ピックアップの出力信号の振幅のバラツキや光ディスクの反射率のバラツキあるいはＲＦアンプのゲインのバラツキなどがあった場合でも、ＤＶＤ−ＲＡＭの判別を正確に行うことができる。
【００１９】
また、本発明によれば、光ディスクにレーザ光を照射させ反射光を受光して読み取り信号としてのＲＦ信号を出力する光ピックアップからのＲＦ信号を増幅するＲＦアンプのゲインを、光ディスクの立ち上げのディスク判別時に最大レンジに設定するゲイン制御手段と、前記ＲＦアンプからのＲＦ信号を予め設定された２値化条件に従って２値化し前記ＲＦ信号に含まれているディスク固有信号の検出を示す２値化信号を出力する２値化手段と、前記ＲＦ信号が前記最大レンジの上下所定％を占めているかにより前記ＲＦ信号に含まれるディスク固有信号を２値化するために前記最大レンジの上下所定％のレベルに相当する上側閾値と下側閾値とを前記２値化手段への２値化条件として設定する２値化条件設定手段と、前記上側閾値と下側閾値との間に信号が無い空洞部分を２値化した前記２値化手段からの２値化信号の時間を測定し、ディスク１回転の時間に対する前記２値化信号の時間の割合を示す２値化信号割合を算出する２値化信号割合算出手段と、前記算出された２値化信号割合に応じて光ディスクを判別するディスク判別手段とを備えたので、ＲＦアンプのゲインを最大レンジに設定して、ディスク固有信号を含むＲＦ信号をＲＦアンプに入力すれば、ＲＦアンプの出力信号であるＲＦ信号に含まれるディスク固有信号の部分は空洞になり、この空洞部分は正確に２値化でき、この２値化の信号の時間を測定することにより、光ディスクの１回転の時間に対する２値化信号の時間の割合を示す２値化信号割合を算出し、この２値化割合で光ディスクの判別を行うことができ、これにより、光ピックアップの出力信号の振幅のバラツキや光ディスクの反射率のバラツキあるいはＲＦアンプのゲインのバラツキなどがあった場合でも、光ディスクの判別を正確に行うことができる。
【発明を実施するための最良の形態】
【００２０】
以下、添付図面を参照しつつ、本発明の実施の形態について説明する。図１は本発明の一実施形態に係る光ディスク再生装置におけるディスク判別機能の構成を説明するためのブロック図である。
【００２１】
この光ディスク再生装置は、装置全体を制御するシステムコントローラ１４と、光ディスク１を回転させるスピンドルモータ２と、このスピンドルモータ２を駆動させるモータ駆動回路３と、光ディスク１にレーザ光を照射させ反射光を受光して読み取り信号としてのＲＦ信号を出力する光ピックアップ４と、この光ピックアップ４を光ディスク１の半径方向に移動させるためのスレッド５と、システムコントローラ１４の指示に応じて、モータ駆動回路３を介してスピンドルモータ２を回転させたり、スレッド５を駆動させたりすると共に、光ピックアップ４に内蔵された図示しない対物レンズを動かすことによりレーザ光の焦点位置を光ディスク１の記録面に対して垂直方向および水平方向に移動させる制御を行ったり、光ピックアップ４のチルト制御を行ったりするサーボ制御回路６とを備えている。
【００２２】
また、この光ディスク再生装置は、光ディスク１の再生時に光ピックアップ４からの読み取り信号であるＲＦ信号を増幅するＲＦアンプ７と、このＲＦアンプ７から出力されたＲＦ信号をデジタルデータに変換した後に光ディスク１のデータフォーマットに応じた信号復調処理と誤り訂正処理を行って再生データを出力するデジタル信号処理回路８とを備えている。
【００２３】
システムコントローラ２２は、ＲＦアンプ７のゲインを、光ディスク１の立ち上げのディスク判別時に最大レンジに設定するゲイン制御手段９と、ＲＦアンプ７からのＲＦ信号を予め設定された２値化条件に従って２値化し前記ＲＦ信号にＣＡＰＡ信号が含まれていればＣＡＰＡ信号の検出を示す２値化信号を出力する２値化手段１０と、前記ＲＦ信号が前記最大レンジの上下所定％（例えば上下８０％）を占めているかにより前記ＲＦ信号に含まれるＣＡＰＡ信号を２値化するために前記最大レンジの上下所定％（例えば上下８０％）のレベルに相当する上側閾値と下側閾値とを前記２値化手段への２値化条件として設定する２値化条件設定手段１１と、前記上側閾値と下側閾値との間に信号が無い空洞部分を２値化した前記２値化手段１０からの２値化信号の時間を測定し、ディスク１回転の時間に対する前記２値化信号の時間の割合を示す２値化信号割合を算出する２値化信号割合算出手段１２と、前記算出された２値化信号割合がＣＡＰＡ信号を示す所定の割合（例えば４[％]±１[％]以内）であるか否かを判定し、前記２値化信号割合がＣＡＰＡ信号を示す所定の割合であれば、装填されている光ディスク１がＤＶＤ−ＲＡＭであると判別し、前記２値化信号割合がＣＡＰＡ信号を示す所定の割合でなければ、装填されている光ディスク１がＤＶＤ−ＲＡＭ以外の光ディスクであると判別するディスク判別手段１３と有する。
【００２４】
図２はＤＶＤ−ＲＡＭの記録様式を説明するための図である。ＤＶＤ−ＲＡＭの光ディスクは、データトラックに予め形成されたＣＡＰＡを有し、セクターフォーマット構造を採っており、データ部１０１とアドレス部１０２に物理的に分離されている。データ部１０１は、突形状のランド１０３と溝形状のグループ１０４から構成されており、ランド１０３あるいはグループ１０４のトラックに沿って情報が記録される。
【００２５】
記録には相変化記録方式が用いられており、ビット情報を媒体材料の結晶／非結晶状態に対応させて記録し、結晶状態に応じて反射光量が変化することから情報の読み取りを行う。アドレス部１０２はＣＡＰＡ１０５で形成されており、回折により反射光量の変化が得られることから記録情報の読み取りを行う。ＣＡＰＡ１０５は、アドレス情報を示す反射率の高い部分であり、ディスク１周当りに約４％の割合でエンボス（メーカ側で最初から情報が書かれること）されており、ランド１０３のトラックとグループ１０４のトラックとの中間位置で交互に位置を変えて形成される。レーザスポットがランド１０３を走査する時と、グループ１０４を走査する時とでは、ＣＡＰＡ１０５による回折の受け方向が異なるため、この回折の受け方向を検出して、アドレスの位置判定、ランド・グループの判定などに用いられる。
【００２６】
ＤＶＤ−ＲＡＭでは、ランダム記録・再生、未記録光ディスクのデータ領域へのアクセス、データ書き換え時のデータロスの防止、およびデータトラックのセンター検出などを可能にしている。また、ＤＶＤ−ＲＡＭのＣＡＰＡ１０５は、光ディスクが作成された時に記録され、それ以降は書き換え不可になる領域であり、ランド１０３やグループ１０４のデータ部の相変化媒体材料とは異なる材料を使用しており、ＤＶＤ−ＲＯＭに近い材質で、反射率も高くなっている。そのためＤＶＤ−ＲＡＭを記録／再生するには、ＣＡＰＡ１０５での高反射信号のオフセットをキャンセルする特殊な処理が必要である。これがＤＶＤ−ＲＡＭの互換性を無くしている要因の一つであるが、本実施形態では、ＣＡＰＡ１０５の高反射率を利用して、装填された光ディスク１がＤＶＤ−ＲＡＭであることを判別するようにしている。
【００２７】
図３は本実施形態においてディスク判別処理に用いられるＣＡＰＡ信号を２値化する処理を説明するための信号波形図である。
【００２８】
図３（１）において、Ｌ１はＲＦアンプ７（図１参照）のゲインが最大レンジの場合の上側のレンジレベルを示し、Ｌ２はＲＦアンプ７のゲインが最大レンジの場合の下側のレンジレベルを示す。３１はＲＦアンプ７のゲインが本来の設定になっている場合のＲＦアンプ７の出力信号であるＲＦ信号を示す。３２はＲＦ信号３１に含まれるＣＡＰＡ信号を示す。図３（１）に示すように、ＲＦ信号３１に含まれるＣＡＰＡ信号は、上側レンジレベルＬ１と下側レンジレベルＬ２との間に入っている。
【００２９】
図３（２）において、Ｌ１はＲＦアンプ７のゲインが最大レンジの場合の上側のレンジレベルを示し、Ｌ２はＲＦアンプ７のゲインが最大レンジの場合の下側のレンジレベルを示す。３３はＲＦアンプ７のゲインが最大レンジの設定になっている場合のＲＦアンプ７の出力信号であるＲＦ信号を示す。３４はＲＦ信号３３に含まれるＣＡＰＡ信号を示す。ａとｂはＲＦ信号３３が前記最大レンジの上下所定％（上下８０％）を占めているかによりＲＦ信号３３に含まれるＣＡＰＡ信号３４を２値化するために前記最大レンジの上下所定％（上下８０％）のレベルに相当する上側閾値と下側閾値を示す。
【００３０】
図３（３）において、３５は前記上側閾値ａと前記下側閾値ｂとの間に信号が無い空洞部分３６（図３（２）参照）を２値化した２値化信号であり、この場合、時間ｔだけローレベルになったパルスを示す。この２値化信号３５は２値化手段１０（図１参照）から出力される信号である。２値化手段１０から出力される２値化信号３５は、ローレベルの時間ｔが測定され、光ディスク１の１回転の時間に対する２値化信号３５の時間ｔの割合を示す２値化信号割合を算出するために用いられる。
【００３１】
図４は本実施形態において装填された光ディスクがＤＶＤ−ＲＡＭであるか否かの判別を行う処理を説明するためのフローチャートである。このフローチャートおよび図１〜図３を参照して装填された光ディスクがＤＶＤ−ＲＡＭであるか否かの判別を行う処理について説明する。
【００３２】
光ディスク１が装填されると、光ディスク１に対する立ち上げ動作が開始する（ステップＳ１）。即ち、システムコントローラ１４は、サーボ制御回路６を介してモータ駆動回路３を駆動させることにより、スピンドルモータ２を回転させると共に、サーボ制御回路６を介してスレッド５を駆動させることにより、光ピックアップ４を光ディスク１に対して半径方向に移動させ初期位置に設定したり、サーボ制御回路６を介して光ピックアップ４に内蔵された図示しない対物レンズを動かすことによりレーザ光の焦点位置を最適な位置に設定するため光ディスク１の記録面に対して垂直方向および水平方向に移動させる制御を行ったり、光ピックアップ４のチルト制御を行ったりする。
【００３３】
このような光ディスク１に対する立ち上げ動作が開始すると、システムコントローラ１４のゲイン制御手段９は、光ピックアップ４からのＲＦ信号を増幅するＲＦアンプ７のゲインを最大レンジに設定する（ステップＳ２）。なお、ディスク判定が終わった後は、ＲＦアンプ７のゲインは元に戻される。ＲＦアンプ７のゲインが最大レンジに設定された後、システムコントローラ１４の２値化条件設定手段１１は、ＲＦアンプ７からのＲＦ信号が前記最大レンジの例えば上下８０％を占めているかにより前記ＲＦ信号に含まれるＣＡＰＡ信号を２値化するために前記最大レンジの上下８０％のレベルに相当する上側閾値ａと下側閾値ｂとを２値化手段１０への２値化条件として設定する（ステップＳ３）。
【００３４】
２値化手段１０は、ＲＦアンプ７からのＲＦ信号を前記設定された２値化条件に従って２値化し、前記ＲＦ信号にＣＡＰＡ信号が含まれていればＣＡＰＡ信号の検出を示す２値化信号を出力する。即ち、２値化手段１０は、上側閾値ａと下側閾値ｂとの間に信号が無い空洞部分３６（図３（２）参照）を２値化して時間（パルス幅）ｔのローレベルの２値化信号３５（図３（３）参照）を出力する（ステップＳ４）。この２値化信号は、ＲＦアンプ７の最大レンジの上位８０％に位置する上側閾値ａと、ＲＦアンプ７の最大レンジの下位８０％に位置する下側閾値ｂとの間に、信号が有ればハイレベルとなり、信号が無ければローレベルになる。即ち、ＲＦ信号にＣＡＰＡ信号が含まれていれば、このＣＡＰＡ信号は、上側閾値ａと下側閾値ｂとの間では、空洞となって信号が無いと見なされ、ＣＡＰＡ信号を検出したときの２値化信号３５はローレベルとなる。なお、ここでは、２値化信号３５は、上側閾値ａと下側閾値ｂとの間に、信号が有ればハイレベルとなるようにし、信号が無ければローレベルになるようにしたが、信号が無ければハイレベルとなるようにし、信号が有ればローレベルになるようにしても良い。
【００３５】
次に、２値化信号割合算出手段１２は、上側閾値ａと下側閾値ｂとの間に信号が無い空洞部分３６を２値化した２値化手段１０からの２値化信号３５の時間ｔを測定し（ステップＳ５）、光ディスク１の１回転の時間に対する２値化信号３５の時間ｔの割合を示す２値化信号割合を算出する（ステップＳ６）。この２値化信号割合は、光ディスク１の１周における２値化信号３５の割合を示すことにもなる。例えば、光ディスク１の１回転の時間をＴとし、２値化信号３５の時間をｔとすると、２値化信号割合は、ｔ／Ｔにより求めることができ、光ディスク１がＤＶＤ−ＲＡＭの場合には、２値化信号３５はＣＡＰＡ信号の検出信号を示し、ｔ／Ｔ＝４[％]±１[％]以内となる。
【００３６】
この後、ディスク判別手段１３は、前記２値化信号割合算出手段１２により算出された２値化信号割合がＣＡＰＡ信号の検出を示す４[％]±１[％]以内であるか否かを判定し（ステップＳ７）、２値化信号割合が４[％]±１[％]以内であれば、装填されている光ディスク１はＤＶＤ−ＲＡＭであると判別し（ステップＳ８）、２値化信号割合が４[％]±１[％]以内でなければ、装填されている光ディスク１はＤＶＤ−ＲＡＭ以外の光ディスクであると判別する（ステップＳ９）。
【００３７】
このような処理により装填されている光ディスクの種類が判別された後は、システムコントローラ１４は、光ディスク再生装置を光ディスクの種類に応じた再生動作を行わせる。
【００３８】
以上説明したように本実施形態によれば、ＲＦアンプ７のゲインを最大レンジに設定して、ＣＡＰＡ信号を含むＲＦ信号をＲＦアンプ７に入力すれば、ＲＦアンプ７の出力信号であるＲＦ信号に含まれるＣＡＰＡ信号の部分は空洞になるので、この空洞部分は正確に２値化でき、この２値化の信号の時間を測定することにより、光ディスク１の１回転の時間に対する２値化信号の時間の割合を算出し、この割合でＤＶＤ−ＲＡＭであるか否かの判別を行うので、光ピックアップ４の出力信号の振幅のバラツキや光ディスク１の反射率のバラツキあるいはＲＦアンプ７のゲインのバラツキなどがあった場合でも、ＤＶＤ−ＲＡＭの判別を正確に行うことができる。
【図面の簡単な説明】
【００３９】
【図１】本発明の一実施形態に係る光ディスク再生装置におけるディスク判別機能の構成を説明するためのブロック図である。
【図２】ＤＶＤ−ＲＡＭの記録様式を説明するための図である。
【図３】前記実施形態においてディスク判別処理に用いられるＣＡＰＡ信号を２値化する処理を説明するための信号波形図である。
【図４】前記実施形態において装填された光ディスクがＤＶＤ−ＲＡＭであるか否かの判別を行う処理を説明するためのフローチャートである。
【符号の説明】
【００４０】
１    光ディスク
４    光ピックアップ
７    ＲＦアンプ
９    ゲイン制御手段
１０    ２値化手段
１１    ２値化条件設定手段
１２    ２値化信号割合算出手段
１３    ディスク判別手段
【図１】
2007149159.tif 000003
【図２】
2007149159.tif 000004
【図３】
2007149159.tif 000005
【図４】
2007149159.tif 000006